(57)【特許請求の範囲】
【請求項１】
下方が開放された外部ケース側の昇降索を棚部に連結して棚部を外部ケース内に格納する格納位置に上昇及び物品取出し・収納位置に下降自在に設けた昇降棚装置であって、昇降索の先端部を係着した板状のブラケットの下端部に小径部に続いて大径部を形成して吊り下げ部を形成し、棚部側に大径部をブラケットの板厚方向より挿入する大径受部と大径受部に挿入された大径部の上方への抜止めを図る一対の対向する抜止めリブを形成して被吊り下げ部を形成し、被吊り下げ部が吊り下げ部に吊り下げられた棚部の吊り下げ状態でブラケットを棚部に固定する固定手段を備えて成ることを特徴とする昇降棚装置。
【請求項２】
抜止めリブに大径部の挿入方向において外方ほど大径受部が大きくなる導入斜面を形成して成ることを特徴とする請求項１記載の昇降棚装置。
【請求項３】
被吊り下げ部には、棚部側の通孔から吊り下げ部側に突出して吊り下げ部に係止する係止片を突出・引き込み自在に設けて成ることを特徴とする請求項１記載の昇降棚装置。
【発明の詳細な説明】
【０００１】
【発明の属する技術分野】
本発明は、外部ケースに対して棚部を昇降させる昇降棚装置に関し、詳しくは、外部ケース側からの昇降索に棚部を連結する作業を一人で容易におこなえるようにしようとする技術に係るものである。
【０００２】
【従来の技術】
従来、下方が開放された外部ケース側の昇降索を棚部に連結して棚部を外部ケース内に格納する格納位置に上昇及び物品取出し・収納位置に下降自在に設けた昇降棚装置においては、外部ケース側の昇降索の先端にブラケットを係着し、ブラケットを棚部に連結して組み立てるのである。
【０００３】
このような組み立てに際して、工場においては、既に組み立ててブロック化した棚部を落ちないように治具にて支持しておこなうのであり、又、現場での施工及びメンテナンスの際は、棚部をブラケットの箇所にまで持ち上げた状態で、ブラケットのねじ位置と棚部のねじ位置とを一致させて固定していた。この場合、一人での作業は困難となり、二人作業となるものとなっていた。
【０００４】
【発明が解決しようとする課題】
本発明はこのような問題に鑑みてなされたものであり、外部ケース側からの昇降索に棚部を連結する作業を一人で容易におこなえる昇降棚装置を提供することを課題とするものである。
【０００５】
【課題を解決するための手段】
請求項１においては、下方が開放された外部ケース１側の昇降索３を棚部２に連結して棚部２を外部ケース１内に格納する格納位置に上昇及び物品取出し・収納位置に下降自在に設けた昇降棚装置であって、昇降索３の先端部を係着した板状のブラケット５の下端部に小径部３５に続いて大径部３６を形成して吊り下げ部３２を形成し、棚部２側に大径部３６をブラケット５の板厚方向より挿入する大径受部３７と大径受部３７に挿入された大径部３６の上方への抜止めを図る一対の対向する抜止めリブ３８、３８を形成して被吊り下げ部３３を形成し、被吊り下げ部３３が吊り下げ部３２に吊り下げられた棚部２の吊り下げ状態でブラケット５を棚部２に固定する固定手段３４を備えていることを特徴とするものである。このような構成によれば、昇降索３を係着したブラケット５の吊り下げ部３２に棚部２の被吊り下げ部３３を吊り下げることで、棚部２をブラケット５に吊り下げることができ、棚部２をブラケット５に吊り下げて固定手段３４によって固定することができるのであり、棚部２の組み込みを一人でおこなうことができる。
【０００６】
更に、請求項１においては、板状のブラケット５の大径部３６を棚部２側の大径受部３７にブラケット５の板厚方向に挿入して一対の対向する抜止めリブ３８、３８によって抜止めを図って、ブラケット５に棚部２を吊り下げることができ、棚部２の吊り下げ作業を、一層、容易におこなうことができる。
【０００７】
請求項２においては、抜止めリブ３８に大径部３６の挿入方向において外方ほど大径受部３７が大きくなる導入斜面３９を形成していることを特徴とするものである。このような構成によれば、外方ほど大きくなる導入斜面３９によって、大径部３６を大径受部３７に、一層、容易に挿入することができる。
【０００８】
請求項３においては、被吊り下げ部３３には、棚部２側の通孔４０から吊り下げ部３２側に突出して吊り下げ部３２に係止する係止片４１を突出・引き込み自在に設けていることを特徴とするものである。このような構成によれば、係止片４１を通孔４０から突出させて吊り下げ部３２に係止することができ、係止片４１を引き込めておくことで吊り下げ部３２と被吊り下げ部３３との吊り下げを、一層、容易におこなうことができる。
【０００９】
【発明の実施の形態】
以下、本発明の実施の形態を説明する。図１は部分側面図である。図２は正断面図である。図３は全体概略正面図である。図４は概略側断面図である。図５は概略側断面図である。図６は概略横断面図である。
【００１０】
昇降棚装置Ａは、食器乾燥装置であり、天袋の一部を構成するもので、例えば、調理部と食堂とを仕切る天袋の一部として設置され、その下方にはカウンター(図示せず)が配設されている。以下、詳述する。
【００１１】
外部ケース１は下方が開放された箱型に形成され、開くことができない擬似扉２５を備え、このような外部ケース１の内部上部にはファン１７とヒータ１８を備えた温風供給部１９が設置され、更に、滑車２０と巻き取りドラム１１と駆動モータ１２を備えた昇降機構部１３が設置され、カバーにて囲繞されて湿気等入らないように気密が保たれている。カバーには温風吹出し口を形成している。ところで、ファン１７はヒータ１８とは独立して駆動できるようになっていて、ヒータ１８を駆動させる温風供給、又は、ヒータ１８を停止した送（冷）風供給を可能にしていて、食器の温風乾燥、又は送（冷）風による乾燥及び冷却を図るようにしている。このような切換え操作は、操作盤における操作によっておこなわれるようにしている。
【００１２】
昇降手段４である昇降機構部１３からの一対の昇降索３であるベルト２７，２７に棚部２を係着していて、駆動モータ１２によって棚部２を昇降することができるようにしている。
【００１３】
棚部２は天板と水受け２６との間に、例えば、カラー塗装して錆び止めを図った金属線材１５を複数本架設して、略かご状にしたものであり、金属線材１５，１５間に皿を挿入して保持したり、又、ちゃわんのような容器状の食器を内部に収容できるようにしている。
【００１４】
棚部２の棚側板２９に沿って吸気ダクト２２が形成され、吸気口２３が吸気ダクト２２及び棚部２の下端に形成されている。吸気口２３にはフィルター６が着脱自在に取付けられている。
【００１５】
棚部２の水受け２６はパン状に形成され、ビスにて止められ、ビスを外すことで棚部２から取外すことができるようにしている。水受け２６には水勾配が形成され、水勾配の最も低い部分に排水口３１を形成している。又、排出口２８を設けて排気するようにしている。
【００１６】
外部ケース１の対向する側板２１には平面視において略Ｈ形となる縦レール３０を取付けている。棚部２にはブラケット５を取付けてあり、ブラケット５にはベルト２７の先端部を係着している。又、ブラケット５には縦レール３０に対向してガイドローラ１０を取付けてあり、対向する縦レール３０をガイドとして棚部２を円滑に昇降させることができるようにしている。
【００１７】
本発明の昇降棚装置Ａにおいては、外部ケース１側からの昇降索３を係着したブラケット５を棚部２に一人で容易に連結できるようにしている。以下、詳述する。
【００１８】
図１及び図２に示すように、昇降索３の先端部を係着した板状のブラケット５の下端部に小径部３５に続いて大径部３６を形成して吊り下げ部３２を構成している。大径部３６にはねじ孔４２を複数形成している。
【００１９】
棚部２の棚側板２９には、ブラケット５を接続する接続部４３を形成している。接続部４３には、大径部３６をブラケット５の板厚方向より挿入する大径受部３７と大径受部３７に挿入された大径部３６の上方への抜止めを図る一対の対向する抜止めリブ３８、３８を形成して被吊り下げ部３３を構成している。接続部４３には孔４４を形成してねじ孔４２に合致するようにしている。
【００２０】
しかして、板状のブラケット５の大径部３６を棚側板２９の大径受部３７にブラケット５の板厚方向に挿入して一対の対向する抜止めリブ３８、３８によって抜止めを図って、ブラケット５に棚部２を吊り下げるのである。この場合、棚側板２９の孔４４とブラケット５のねじ孔４２が合致して、固定手段３４としてのねじ具４５を孔４４をへてねじ孔４２にねじ込むことで、棚部２の組み込みをおこなうものである。
【００２１】
つまり、昇降索３を係着したブラケット５の吊り下げ部３２に棚部２の被吊り下げ部３３を吊り下げることで、棚部２をブラケット５に吊り下げることができ、棚部２をブラケット５に吊り下げてねじ具４５によって固定することができるのであり、棚部２の組み込みを一人でおこなうことができるのである。
【００２２】
この場合、抜止めリブ３８に大径部３６の挿入方向において外方ほど大径受部３７が大きくなる導入斜面３９を形成していることから、外方ほど大きくなる導入斜面３９によって、大径部３６を大径受部３７に、一層、容易に挿入することができるものである。ところで、図８に示すように、棚部２の幅Ｘは外部ケース１の導入幅Ｙに比べてやや広くなっていて、棚部２を圧入ぎみに挿入するものである。
【００２３】
図１０乃至図１２は他の実施の形態を示し、但し、本実施の形態の基本構成は上記実施の形態と共通であり、共通する部分には同一の符号を付して説明は省略する。
【００２４】
本実施の形態においては、被吊り下げ部３３には、棚側板２９の通孔４０から吊り下げ部３２側に突出して吊り下げ部３２に係止する係止片４１を突出・引き込み自在に設けたものである。具体的には、ブラケット５の下端に突出片４６を形成して吊り下げ部３２としている。棚側板２９には略Ｌ字状に曲げて係止片４１を形成した金属板片４７を取付けて被吊り下げ部３３を構成している。金属板片４７は自由状態では、図１０に示すように、変形していて棚側板２９から係止片４１が突出することがない。
【００２５】
しかして、ブラケット５の下端の突出片４６を大径受部３７の下端面に当接して位置決めがなされた状態で、指にて金属板片４７を押し込んで通孔４０より係止片４１を突出させるのであり、この場合、係止片４１に突出片４６が係止してブラケット５に棚部２を吊り下げるのであり、このような吊り下げ状態でブラケット５と棚側板２９とを固定するのである。
【００２６】
図１３乃至図１５は更に他の実施の形態を示し、但し、本実施の形態の基本構成は上記実施の形態と共通であり、共通する部分には同一の符号を付して説明は省略する。
【００２７】
本実施の形態においては、棚側板２９に押し込み片４８を下方に押し込み自在に支持し、押し込み片４８の下方に係止片４１を配し、押し込み片４８及び係止片４１にカム面４９を形成し、押し込み片４８の下方への押し込みにて係止片４１を通孔４０から突出させ、係止片４１をブラケット５の突出片４６に係止させるようにしたものである。
【００２８】
【発明の効果】
請求項１においては、下方が開放された外部ケース側の昇降索を棚部に連結して棚部を外部ケース内に格納する格納位置に上昇及び物品取出し・収納位置に下降自在に設けた昇降棚装置であって、昇降索の先端部を係着した板状のブラケットの下端部に小径部に続いて大径部を形成して吊り下げ部を形成し、棚部側に大径部をブラケットの板厚方向より挿入する大径受部と大径受部に挿入された大径部の上方への抜止めを図る一対の対向する抜止めリブを形成して被吊り下げ部を形成し、被吊り下げ部が吊り下げ部に吊り下げられた棚部の吊り下げ状態でブラケットを棚部に固定する固定手段を備えているから、昇降索を係着したブラケットの吊り下げ部に棚部の被吊り下げ部を吊り下げることで、棚部をブラケットに吊り下げることができ、棚部をブラケットに吊り下げて固定手段によって固定することができるのであり、棚部の組み込みを一人でおこなうことができるという利点がある。
【００２９】
更に、請求項１においては、板状のブラケットの大径部を棚部側の大径受部にブラケットの板厚方向に挿入して一対の対向する抜止めリブによって抜止めを図って、ブラケットに棚部を吊り下げることができ、棚部の吊り下げ作業を、一層、容易におこなうことができるという利点がある。
【００３０】
請求項２においては、請求項１の構成に加えて、抜止めリブに大径部の挿入方向において外方ほど大径受部が大きくなる導入斜面を形成しているから、請求項１の効果に加えて、外方ほど広くなる斜面によって、大径部を大径受部に、一層、容易に挿入することができるという利点がある。
【００３１】
請求項３においては、請求項１の構成に加えて、被吊り下げ部には、棚部側の通孔から吊り下げ部側に突出して吊り下げ部に係止する係止片を突出・引き込み自在に設けているから、請求項１の効果に加えて、係止片を通孔から突出させて吊り下げ部に係止することができ、係止片を引き込めておくことで吊り下げ部と被吊り下げ部との吊り下げを、一層、容易におこなうことができるという利点がある。
【図面の簡単な説明】
【図１】本発明の実施の一形態を示す部分側面図である。
【図２】同上の正断面図である。
【図３】同上の全体概略正面図である。
【図４】同上の概略側断面図である。
【図５】同上の概略側断面図である。
【図６】同上の概略横断面図である。
【図７】同上の棚側板を示し、（ａ）は断面図、（ｂ）は側面図である。
【図８】同上の外部ケースと棚部との組み込みを説明する正面図である。
【図９】同上の側面図である。
【図１０】同上の他の実施の形態の正断面図である。
【図１１】同上の吊り下げ状態の正断面図である。
【図１２】同上の側面図である。
【図１３】同上の更に他の実施の形態の正断面図である。
【図１４】同上の吊り下げ状態の正断面図である。
【図１５】同上の側面図である。
【符号の説明】
１    外部ケース
２    棚部
３    昇降索
５    ブラケット
３２  吊り下げ部
３３  被吊り下げ部
３４  固定手段
【図１】
0003678124.tif 000002
【図２】
0003678124.tif 000003
【図３】
0003678124.tif 000004
【図４】
0003678124.tif 000005
【図５】
0003678124.tif 000006
【図６】
0003678124.tif 000007
【図７】
0003678124.tif 000008
【図８】
0003678124.tif 000009
【図９】
0003678124.tif 000010
【図１０】
0003678124.tif 000011
【図１１】
0003678124.tif 000012
【図１２】
0003678124.tif 000013
【図１３】
0003678124.tif 000014
【図１４】
0003678124.tif 000015
【図１５】
0003678124.tif 000016